(57)【要約】【課題】眼の血管の３次元的分布を明瞭に把握することが可能な眼科装置を提供する。【解決手段】例示的な実施形態の眼科装置において、記憶部は、被検眼に光コヒーレンストモグラフィを適用して取得された３次元データセットを記憶する。第１血管領域抽出部は、３次元データセットから血管領域を抽出する。第１層領域特定部は、３次元データセットにセグメンテーションを適用して複数の層領域を特定する。第１共通領域特定部は、各層領域と血管領域との共通領域を特定する。第１正面画像形成部は、各共通領域に基づいて正面画像を形成する。第１カラーコーディング部は、第１正面画像形成部により形成された複数の正面画像に対して互いに異なる色情報を割り当てる。第１画像合成部は、色情報が割り当てられた複数の正面画像の少なくとも２つを合成して合成正面画像を形成する。【選択図】図２
2018183424.tif 000002
【特許請求の範囲】
【請求項１】
被検眼に光コヒーレンストモグラフィを適用して取得された３次元データセットを記憶する記憶部と、
前記３次元データセットから血管領域を抽出する第１血管領域抽出部と、
前記３次元データセットにセグメンテーションを適用して複数の層領域を特定する第１層領域特定部と、
前記複数の層領域のそれぞれについて、当該層領域と前記血管領域との共通領域を特定する第１共通領域特定部と、
前記第１共通領域特定部により特定された複数の共通領域のそれぞれに基づいて正面画像を形成する第１正面画像形成部と、
前記第１正面画像形成部により形成された複数の正面画像に対して互いに異なる色情報を割り当てる第１カラーコーディング部と、
前記色情報が割り当てられた前記複数の正面画像の少なくとも２つを合成して合成正面画像を形成する第１画像合成部と
を含む眼科装置。
【請求項２】
被検眼に光コヒーレンストモグラフィを適用して取得された３次元データセットを記憶する記憶部と、
前記３次元データセットにセグメンテーションを適用して複数の層領域を特定する第２層領域特定部と、
前記複数の層領域のそれぞれから血管領域を抽出する第２血管領域抽出部と、
前記第２血管領域抽出部により抽出された複数の血管領域のそれぞれに基づいて正面画像を形成する第２正面画像形成部と、
前記第２正面画像形成部により形成された複数の正面画像に対して互いに異なる色情報を割り当てる第２カラーコーディング部と、
前記色情報が割り当てられた前記複数の正面画像の少なくとも２つを合成して合成正面画像を形成する第２画像合成部と
を含む眼科装置。
【請求項３】
被検眼に光コヒーレンストモグラフィを適用して取得された３次元データセットを記憶する記憶部と、
前記３次元データセットに対して深さ位置に応じた色情報を割り当てる第３カラーコーディング部と、
前記３次元データセットから血管領域を抽出する第３血管領域抽出部と、
前記３次元データセットにセグメンテーションを適用して複数の層領域を特定する第３層領域特定部と、
前記複数の層領域のそれぞれについて、当該層領域と前記血管領域との共通領域を特定する第３共通領域特定部と、
前記第３共通領域特定部により特定された複数の共通領域のそれぞれに基づいて正面画像を形成する第３正面画像形成部と、
前記第３正面画像形成部により形成された複数の正面画像の少なくとも２つを前記色情報に基づき合成して合成正面画像を形成する第３画像合成部と
を含む眼科装置。
【請求項４】
被検眼に光コヒーレンストモグラフィを適用して取得された３次元データセットを記憶する記憶部と、
前記３次元データセットに対して深さ位置に応じた色情報を割り当てる第４カラーコーディング部と、
前記３次元データセットにセグメンテーションを適用して複数の層領域を特定する第４層領域特定部と、
前記複数の層領域のそれぞれから血管領域を抽出する第４血管領域抽出部と、
前記第４血管領域抽出部により抽出された複数の血管領域のそれぞれに基づいて正面画像を形成する第４正面画像形成部と、
前記第４正面画像形成部により形成された複数の正面画像の少なくとも２つを前記色情報に基づき合成して合成正面画像を形成する第４画像合成部と
を含む眼科装置。
【請求項５】
被検眼に光コヒーレンストモグラフィを適用して取得された３次元データセットを記憶する記憶部と、
前記３次元データセットに対して深さ位置に応じた色情報を割り当てる第５カラーコーディング部と、
前記３次元データセットから血管領域を抽出する第５血管領域抽出部と、
前記３次元データセットにセグメンテーションを適用して複数の層領域を特定する第５層領域特定部と、
前記複数の層領域のそれぞれについて、当該層領域と前記血管領域との共通領域を特定する第５共通領域特定部と、
前記第５共通領域特定部により特定された複数の共通領域のそれぞれと前記色情報とに基づいて正面画像を形成する第５正面画像形成部と、
前記第５正面画像形成部により形成された複数の正面画像の少なくとも２つを合成して合成正面画像を形成する第５画像合成部と
を含む眼科装置。
【請求項６】
被検眼に光コヒーレンストモグラフィを適用して取得された３次元データセットを記憶する記憶部と、
前記３次元データセットに対して深さ位置に応じた色情報を割り当てる第６カラーコーディング部と、
前記３次元データセットにセグメンテーションを適用して複数の層領域を特定する第６層領域特定部と、
前記複数の層領域のそれぞれから血管領域を抽出する第６血管領域抽出部と、
前記第６血管領域抽出部により抽出された複数の血管領域のそれぞれと前記色情報とに基づいて正面画像を形成する第６正面画像形成部と、
前記第６正面画像形成部により形成された複数の正面画像の少なくとも２つを合成して合成正面画像を形成する第６画像合成部と
を含む眼科装置。
【請求項７】
被検眼に光コヒーレンストモグラフィを適用して取得された３次元データセットを記憶する記憶部と、
前記３次元データセットから血管領域を抽出する第７血管領域抽出部と、
前記３次元データセットにセグメンテーションを適用して複数の層領域を特定する第７層領域特定部と、
前記複数の層領域に対して互いに異なる色情報を割り当てる第７カラーコーディング部と、
前記複数の層領域のそれぞれについて、当該層領域と前記血管領域との共通領域を特定する第７共通領域特定部と、
前記第７共通領域特定部により特定された複数の共通領域のそれぞれと前記色情報とに基づいて正面画像を形成する第７正面画像形成部と、
前記第７正面画像形成部により形成された複数の正面画像の少なくとも２つを合成して合成正面画像を形成する第７画像合成部と
を含む眼科装置。
【請求項８】
被検眼に光コヒーレンストモグラフィを適用して取得された３次元データセットを記憶する記憶部と、
前記３次元データセットにセグメンテーションを適用して複数の層領域を特定する第８層領域特定部と、
前記複数の層領域に対して互いに異なる色情報を割り当てる第８カラーコーディング部と、
前記複数の層領域のそれぞれから血管領域を抽出する第８血管領域抽出部と、
前記第８血管領域抽出部により抽出された複数の血管領域のそれぞれと前記色情報とに基づいて正面画像を形成する第８正面画像形成部と、
前記第８正面画像形成部により形成された複数の正面画像の少なくとも２つを合成して合成正面画像を形成する第８画像合成部と
を含む眼科装置。
【請求項９】
被検眼に光コヒーレンストモグラフィを適用して取得された３次元データセットを記憶する記憶部と、
前記３次元データセットにセグメンテーションを適用して複数の層領域を特定する第９層領域特定部と、
前記複数の層領域のそれぞれに基づいて正面画像を形成する第９正面画像形成部と、
前記第９正面画像形成部により形成された複数の正面画像のそれぞれから血管領域を抽出する第９血管領域抽出部と、
前記第９血管領域抽出部により抽出された複数の血管領域に対して互いに異なる色情報を割り当てる第９カラーコーディング部と、
前記色情報が割り当てられた前記複数の血管領域の少なくとも２つを合成して合成正面画像を形成する第９画像合成部と
を含む眼科装置。
【請求項１０】
前記色情報に基づいて前記合成正面画像を表示手段に表示させる表示制御部を含む
ことを特徴とする請求項１〜９のいずれかに記載の眼科装置。
【請求項１１】
前記複数の正面画像のうちから２以上の正面画像を選択するための操作を受け付ける操作部を含み、
前記表示制御部は、前記操作部を介して選択された前記２以上の正面画像に基づき形成された合成正面画像を前記表示手段に表示させる
ことを特徴とする請求項１０に記載の眼科装置。
【請求項１２】
前記血管領域のうちの注目血管領域を設定する注目血管領域設定部を含み、
前記表示制御部は、前記２以上の正面画像に基づき形成された合成正面画像と、前記複数の正面画像のうち前記２以上の正面画像と異なる正面画像に描出された前記注目血管領域との合成画像を、前記表示手段に表示させる
ことを特徴とする請求項１１に記載の眼科装置。
【請求項１３】
被検眼に光コヒーレンストモグラフィを適用して３次元データセットを取得するデータセット取得部を含み、
前記記憶部は、前記データセット取得部により取得された前記３次元データセットを記憶する
ことを特徴とする請求項１〜１２のいずれかに記載の眼科装置。
【発明の詳細な説明】
【技術分野】
【０００１】
この発明は、眼科装置に関する。
【背景技術】
【０００２】
眼科分野において画像診断は重要な位置を占める。近年では光コヒーレンストモグラフィ（Ｏｐｔｉｃａｌ  Ｃｏｈｅｒｅｎｃｅ  Ｔｏｍｏｇｒａｐｈｙ：ＯＣＴ）の活用が進んでいる。ＯＣＴは、被検眼のＢスキャン画像や３次元画像の取得だけでなく、Ｃスキャン画像やシャドウグラムなどの正面画像（ｅｎ−ｆａｃｅ画像）の取得にも利用されるようになってきている。また、被検眼の特定部位を強調した画像を取得することや、機能情報を取得することも行われている。例えば、ＯＣＴにより収集された時系列ボリュームデータに基づいて、網膜血管や脈絡膜血管が強調されたＢスキャン画像や正面画像（血管強調画像、アンギオグラム）を構築することができる。更に、被検眼の所望のスライスを観察するためのレンダリング手法やグラフィカルユーザインターフェイス（ＧＵＩ）が提案されている。
【先行技術文献】
【特許文献】
【０００３】
【特許文献１】特開２０１６−１９８４４７号公報
【非特許文献】
【０００４】
【非特許文献１】Daniel M. Schwarz et al., “Phase-Variance Optical Coherence Tomography: A Technique for Noninvasive Angiography”, Ophthalmology Vol. 121, Number 1, January 2014
【発明の概要】
【発明が解決しようとする課題】
【０００５】
非特許文献１には、深さ範囲が異なる複数の血管強調画像にカラーコーディングを施して合成表示する技術が開示されている。しかし、血管強調画像には血管以外の組織も描出されているため、カラーコード化された合成画像から血管の３次元的分布を明瞭に把握することは難しい。
【０００６】
この発明の目的は、眼の血管の３次元的分布を明瞭に把握することにある。
【課題を解決するための手段】
【０００７】
実施形態の第１の態様は、被検眼に光コヒーレンストモグラフィを適用して取得された３次元データセットを記憶する記憶部と、上記３次元データセットから血管領域を抽出する第１血管領域抽出部と、上記３次元データセットにセグメンテーションを適用して複数の層領域を特定する第１層領域特定部と、上記複数の層領域のそれぞれについて、当該層領域と上記血管領域との共通領域を特定する第１共通領域特定部と、上記第１共通領域特定部により特定された複数の共通領域のそれぞれに基づいて正面画像を形成する第１正面画像形成部と、上記第１正面画像形成部により形成された複数の正面画像に対して互いに異なる色情報を割り当てる第１カラーコーディング部と、上記色情報が割り当てられた上記複数の正面画像の少なくとも２つを合成して合成正面画像を形成する第１画像合成部とを含む眼科装置である。
【０００８】
実施形態の第２の態様は、被検眼に光コヒーレンストモグラフィを適用して取得された３次元データセットを記憶する記憶部と、上記３次元データセットにセグメンテーションを適用して複数の層領域を特定する第２層領域特定部と、上記複数の層領域のそれぞれから血管領域を抽出する第２血管領域抽出部と、上記第２血管領域抽出部により抽出された複数の血管領域のそれぞれに基づいて正面画像を形成する第２正面画像形成部と、上記第２正面画像形成部により形成された複数の正面画像に対して互いに異なる色情報を割り当てる第２カラーコーディング部と、上記色情報が割り当てられた上記複数の正面画像の少なくとも２つを合成して合成正面画像を形成する第２画像合成部とを含む眼科装置である。
【０００９】
実施形態の第３の態様は、被検眼に光コヒーレンストモグラフィを適用して取得された３次元データセットを記憶する記憶部と、上記３次元データセットに対して深さ位置に応じた色情報を割り当てる第３カラーコーディング部と、上記３次元データセットから血管領域を抽出する第３血管領域抽出部と、上記３次元データセットにセグメンテーションを適用して複数の層領域を特定する第３層領域特定部と、上記複数の層領域のそれぞれについて、当該層領域と上記血管領域との共通領域を特定する第３共通領域特定部と、上記第３共通領域特定部により特定された複数の共通領域のそれぞれに基づいて正面画像を形成する第３正面画像形成部と、上記第３正面画像形成部により形成された複数の正面画像の少なくとも２つを上記色情報に基づき合成して合成正面画像を形成する第３画像合成部とを含む眼科装置である。
【００１０】
実施形態の第４の態様は、被検眼に光コヒーレンストモグラフィを適用して取得された３次元データセットを記憶する記憶部と、上記３次元データセットに対して深さ位置に応じた色情報を割り当てる第４カラーコーディング部と、上記３次元データセットにセグメンテーションを適用して複数の層領域を特定する第４層領域特定部と、上記複数の層領域のそれぞれから血管領域を抽出する第４血管領域抽出部と、上記第４血管領域抽出部により抽出された複数の血管領域のそれぞれに基づいて正面画像を形成する第４正面画像形成部と、上記第４正面画像形成部により形成された複数の正面画像の少なくとも２つを上記色情報に基づき合成して合成正面画像を形成する第４画像合成部とを含む眼科装置である。
【００１１】
実施形態の第５の態様は、被検眼に光コヒーレンストモグラフィを適用して取得された３次元データセットを記憶する記憶部と、上記３次元データセットに対して深さ位置に応じた色情報を割り当てる第５カラーコーディング部と、上記３次元データセットから血管領域を抽出する第５血管領域抽出部と、上記３次元データセットにセグメンテーションを適用して複数の層領域を特定する第５層領域特定部と、上記複数の層領域のそれぞれについて、当該層領域と上記血管領域との共通領域を特定する第５共通領域特定部と、上記第５共通領域特定部により特定された複数の共通領域のそれぞれと上記色情報とに基づいて正面画像を形成する第５正面画像形成部と、上記第５正面画像形成部により形成された複数の正面画像の少なくとも２つを合成して合成正面画像を形成する第５画像合成部とを含む眼科装置である。
【００１２】
実施形態の第６の態様は、被検眼に光コヒーレンストモグラフィを適用して取得された３次元データセットを記憶する記憶部と、上記３次元データセットに対して深さ位置に応じた色情報を割り当てる第６カラーコーディング部と、上記３次元データセットにセグメンテーションを適用して複数の層領域を特定する第６層領域特定部と、上記複数の層領域のそれぞれから血管領域を抽出する第６血管領域抽出部と、上記第６血管領域抽出部により抽出された複数の血管領域のそれぞれと上記色情報とに基づいて正面画像を形成する第６正面画像形成部と、上記第６正面画像形成部により形成された複数の正面画像の少なくとも２つを合成して合成正面画像を形成する第６画像合成部とを含む眼科装置である。
【００１３】
実施形態の第７の態様は、被検眼に光コヒーレンストモグラフィを適用して取得された３次元データセットを記憶する記憶部と、上記３次元データセットから血管領域を抽出する第７血管領域抽出部と、上記３次元データセットにセグメンテーションを適用して複数の層領域を特定する第７層領域特定部と、上記複数の層領域に対して互いに異なる色情報を割り当てる第７カラーコーディング部と、上記複数の層領域のそれぞれについて、当該層領域と上記血管領域との共通領域を特定する第７共通領域特定部と、上記第７共通領域特定部により特定された複数の共通領域のそれぞれと上記色情報とに基づいて正面画像を形成する第７正面画像形成部と、上記第７正面画像形成部により形成された複数の正面画像の少なくとも２つを合成して合成正面画像を形成する第７画像合成部とを含む眼科装置である。
【００１４】
実施形態の第８の態様は、被検眼に光コヒーレンストモグラフィを適用して取得された３次元データセットを記憶する記憶部と、上記３次元データセットにセグメンテーションを適用して複数の層領域を特定する第８層領域特定部と、上記複数の層領域に対して互いに異なる色情報を割り当てる第８カラーコーディング部と、上記複数の層領域のそれぞれから血管領域を抽出する第８血管領域抽出部と、上記第８血管領域抽出部により抽出された複数の血管領域のそれぞれと上記色情報とに基づいて正面画像を形成する第８正面画像形成部と、上記第８正面画像形成部により形成された複数の正面画像の少なくとも２つを合成して合成正面画像を形成する第８画像合成部とを含む眼科装置である。
【００１５】
実施形態の第９の態様は、被検眼に光コヒーレンストモグラフィを適用して取得された３次元データセットを記憶する記憶部と、上記３次元データセットにセグメンテーションを適用して複数の層領域を特定する第９層領域特定部と、上記複数の層領域のそれぞれに基づいて正面画像を形成する第９正面画像形成部と、上記第９正面画像形成部により形成された複数の正面画像のそれぞれから血管領域を抽出する第９血管領域抽出部と、上記第９血管領域抽出部により抽出された複数の血管領域に対して互いに異なる色情報を割り当てる第９カラーコーディング部と、上記色情報が割り当てられた上記複数の血管領域の少なくとも２つを合成して合成正面画像を形成する第９画像合成部とを含む眼科装置である。
【００１６】
実施形態の第１０の態様は、第１〜９の態様のいずれかの眼科装置であって、上記色情報に基づいて上記合成正面画像を表示手段に表示させる表示制御部を含む。
【００１７】
実施形態の第１１の態様は、第１０の態様の眼科装置であって、上記複数の正面画像のうちから２以上の正面画像を選択するための操作を受け付ける操作部を含み、上記表示制御部は、上記操作部を介して選択された上記２以上の正面画像に基づき形成された合成正面画像を上記表示手段に表示させる。
【００１８】
実施形態の第１２の態様は、第１１の態様の眼科装置であって、上記血管領域のうちの注目血管領域を設定する注目血管領域設定部を含み、上記表示制御部は、上記２以上の正面画像に基づき形成された合成正面画像と、上記複数の正面画像のうち上記２以上の正面画像と異なる正面画像に描出された上記注目血管領域との合成画像を、上記表示手段に表示させる。
【００１９】
実施形態の第１３の態様は、第１〜１２の態様のいずれかの眼科装置であって、被検眼に光コヒーレンストモグラフィを適用して３次元データセットを取得するデータセット取得部を含み、上記記憶部は、上記データセット取得部により取得された上記３次元データセットを記憶する。
【発明の効果】
【００２０】
実施形態によれば、眼の血管の３次元的分布を明瞭に把握することが可能である。
【図面の簡単な説明】
【００２１】
【図１】例示的な実施形態に係る眼科装置の構成の一例を表す概略図である。
【図２】例示的な実施形態に係る眼科装置の構成の一例を表す概略図である。
【図３】例示的な実施形態に係る眼科装置の画像合成処理の一例を表す概略図である。
【図４Ａ】例示的な実施形態に係る眼科装置の表示処理の一例を表す概略図である。
【図４Ｂ】例示的な実施形態に係る眼科装置の表示処理の一例を表す概略図である。
【図５】例示的な実施形態に係る眼科装置の構成の一例を表す概略図である。
【図６】例示的な実施形態に係る眼科装置の構成の一例を表す概略図である。
【図７】例示的な実施形態に係る眼科装置の構成の一例を表す概略図である。
【図８】例示的な実施形態に係る眼科装置の構成の一例を表す概略図である。
【図９】例示的な実施形態に係る眼科装置の構成の一例を表す概略図である。
【図１０】例示的な実施形態に係る眼科装置の構成の一例を表す概略図である。
【図１１】例示的な実施形態に係る眼科装置の構成の一例を表す概略図である。
【図１２】例示的な実施形態に係る眼科装置の構成の一例を表す概略図である。
【図１３】例示的な実施形態に係る眼科装置の構成の一例を表す概略図である。
【図１４】例示的な実施形態に係る眼科装置の構成の一例を表す概略図である。
【発明を実施するための形態】
【００２２】
この発明の例示的な実施形態について、図面を参照しながら説明する。なお、この明細書で引用する文献の記載内容や任意の公知技術を実施形態に援用することができる。
【００２３】
実施形態は、被検眼の画像を提供する。この画像は、被検眼の実質的に同じ範囲を繰り返しスキャンして得られた複数の２次元データセットから構成された３次元データセットに基づき形成された血管強調画像（アンギオグラム）である。この３次元データセットは、例えば、複数のＢ断面Ｂ１、Ｂ２、・・・、Ｂｎをそれぞれ所定回数ずつ（例えば４回ずつ）スキャンして、各Ｂ断面Ｂｉ（ｉ＝１、２、・・・、ｎ）のＢスキャン画像を所定枚数ずつ形成し、これらを同じ３次元座標系に埋め込むことによって（更に、それをボクセル化することによって）取得される。このような画像形成技術は既知である。
【００２４】
〈第１実施形態〉
第１実施形態に係る眼科装置について説明する。図１に示す眼科装置１は、被検眼の画像を含む各種情報を表示デバイス２に表示させる。表示デバイス２は眼科装置１の一部であってもよいし、眼科装置１に接続された外部装置であってもよい。
【００２５】
眼科装置１は、制御部１０と、記憶部２０と、データ入出力部３０と、データ処理部４０と、操作部５０とを含む。
【００２６】
（制御部１０）
制御部１０は、眼科装置１の各部を制御する。制御部１０はプロセッサを含む。なお、本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部１０は、例えば、記憶回路や記憶装置（記憶部２０等）に格納されているプログラムを読み出し実行することで、実施形態に係る機能を実現する。
【００２７】
制御部１０は表示制御部１１を含む。表示制御部１１は、表示デバイス２に情報を表示させるための制御を実行する。
【００２８】
（記憶部２０）
記憶部２０には各種情報が記憶される。本例においては、被検眼にＯＣＴを適用して収集された３次元データセット２１が、記憶部２０に記憶される。記憶部２０は、ハードディスクドライブ等の記憶装置を含む。
【００２９】
図示は省略するが、記憶部２０には、表示デバイス２にＧＵＩとして表示される画面やダイアログやアイコン等のテンプレートが記憶される。また、記憶部２０には、画像データの処理を行うために実行されるプログラムや、ＧＵＩに関する制御を行うために実行されるプログラムが記憶される。このようなプログラムを含むソフトウェアと、プロセッサを含むハードウェアとが協働することによって、実施形態に係る処理が実現される。
【００３０】
（データ入出力部３０）
データ入出力部３０は、眼科装置１へのデータの入力と、眼科装置１からのデータの出力とを実行する。なお、データ入出力部３０は、データの入力又は出力のみを行う構成であってもよい。データ入出力部３０は、例えば、ローカルエリアネットワーク（ＬＡＮ）、インターネット、専用線等の通信回線を介してデータの送受信を行うための通信デバイスを含んでいてよい。また、データ入出力部３０は、記録媒体からのデータの読み取りと、記録媒体へのデータの書き込みとを行うためのリーダライタを含んでいてよい。また、データ入出力部３０は、印刷媒体等に記録された情報を読み取るスキャナや、紙媒体に情報を記録するプリンタなどを含んでいてよい。
【００３１】
（データ処理部４０）
データ処理部４０は、プロセッサを含み、各種のデータ処理を実行する。例えば、データ処理部４０は、眼科画像データに対して画像処理を施す。その典型例として、データ処理部４０は、３次元コンピュータグラフィクス（３ＤＣＧ）等のレンダリングを実行することができる。
【００３２】
被検眼の３次元ＯＣＴスキャン（ボリュームスキャン）により取得された３次元データセット（ボリュームデータ、スタックデータ等）が眼科装置１に入力された場合、データ処理部４０は、この３次元データセットに各種のレンダリングを施すことで、Ｂスキャン画像（縦断面像、軸方向断面像）、Ｃスキャン画像（横断面像、水平断面像）、プロジェクション画像、シャドウグラムなどを形成することができる。Ｂスキャン画像やＣスキャン画像のような任意断面の画像は、例えば、指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（例えば特定層に相当する部分データ）を所定方向に投影することによって形成される。Ｃスキャン画像、プロジェクション画像、シャドウグラムのような、被検眼の正面側を視点とする画像を正面画像と呼ぶ。
【００３３】
データ処理部４０は、レンダリングの他にも各種の画像処理を実行することが可能である。例えば、特定の組織や組織境界を求めるためのセグメンテーションや、組織のサイズ（層厚、体積等）を求めるためのサイズ解析などがある。セグメンテーションにより特定層（又は特定の層境界）が求められた場合、その特定層が平坦になるようにＢスキャン画像や正面画像を再構築することが可能である。そのような画像を平坦化画像と呼ぶ。
【００３４】
（血管強調画像について）
眼科装置１により表示される画像として血管強調画像（アンギオグラム）がある。血管強調画像は、ＯＣＴデータを解析することで血管に相当する画像領域（血管領域）を特定し、この血管領域の表現態様を変更することでそれを強調した画像である。血管領域の特定には、被検眼の実質的に同じ範囲を繰り返しスキャンして得られた複数のＯＣＴデータが用いられる。実施形態においては、正面画像としての血管強調画像（血管強調正面画像）を表示するために３次元データセットが用いられる。このような３次元データセット（２１）が記憶部２０に記憶される。
【００３５】
血管強調画像を形成するための手法には幾つかの種類がある。そのための典型的な手法を説明する。なお、以下に説明する手法に含まれる複数のステップの一部又は全部をデータ処理部４０により行うことができる。また、以下に説明する手法に含まれる複数のステップの一部又は全部を他の装置（コンピュータ、眼科装置等）により行うことができる。
【００３６】
まず、被検眼の複数のＢ断面のそれぞれを繰り返しスキャンすることにより、時系列に並んだ複数のＢスキャン画像をＢ断面ごとに含む３次元データセットが作成される。実質的に同じＢ断面を繰り返しスキャンするための手法として、固視やトラッキングがある。記憶部２０に記憶される３次元データセット２１は、この段階の３次元データセットであってよい。
【００３７】
次に、複数のＢスキャン画像の位置合わせがＢ断面ごとに実行される。この位置合わせは、例えば、公知の画像マッチング技術を用いて行われる。その典型例として、各Ｂスキャン画像における特徴領域の抽出と、抽出された複数の特徴領域の位置合わせによる複数のＢスキャン画像の位置合わせとを実行することができる。記憶部２０に記憶される３次元データセット２１は、この段階の３次元データセットであってよい。
【００３８】
続いて、位置合わせされた複数のＢスキャン画像の間で変化している画像領域を特定する処理が行われる。この処理は、例えば、異なるＢスキャン画像の間の差分を求める処理を含む。各Ｂスキャン画像は、被検眼の形態を表す輝度画像データであり、血管以外の部位に相当する画像領域は実質的に不変であると考えられる。一方、干渉信号に寄与する後方散乱が血流によってランダムに変化することを考慮すると、位置合わせされた複数のＢスキャン画像の間で変化が生じた画像領域（例えば、差分がゼロでない画素、又は差分が所定閾値以上である画素）は血管領域であると推定することができる。記憶部２０に記憶される３次元データセット２１は、この段階の３次元データセットであってよい。
【００３９】
このようにして特定された画像領域に、それが血管領域である旨を示す情報を割り当てることができる。それにより、Ｂスキャン画像としての血管強調画像や、血管強調正面画像を表示するときに、血管領域の画素値を変更してそれを強調表示することが可能となる。記憶部２０に記憶される３次元データセット２１は、この段階の３次元データセットであってよい。
【００４０】
データ処理部４０の詳細構成については後述する。
【００４１】
（操作部５０）
操作部５０は、眼科装置１に対してユーザが指示や情報を入力するために使用される。操作部５０は、コンピュータに用いられる公知の操作デバイスを含んでよい。例えば、操作部５０は、マウスやタッチパッドやトラックボール等のポインティングデバイスを含んでよい。また、操作部５０は、キーボードやペンタブレット、専用の操作パネルなどを含んでよい。
【００４２】
（データ処理部４０の構成例）
図２に示すデータ処理部４０Ａは、データ処理部４０の一例である。本例のデータ処理部４０Ａは、血管領域抽出部４１Ａと、層領域特定部４２Ａと、共通領域特定部４３Ａと、正面画像形成部４４Ａと、カラーコーディング部４５Ａと、画像合成部４６Ａとを含んでいる。
【００４３】
（血管領域抽出部４１Ａ）
血管領域抽出部４１Ａは、被検眼の３次元データセットから血管領域を抽出する。この３次元データセットは、血管強調正面画像を表示するための画像データである。この３次元データセットは、記憶部２０に記憶されている３次元データセット２１であってよい。      
【００４４】
例えば、３次元データセット２１が、時系列に並んだ複数のＢスキャン画像をＢ断面ごとに含む３次元データセットである場合、血管領域抽出部４１Ａ（又は、データ処理部４０Ａの他の要素）は、前述の要領で、Ｂスキャン画像の位置合わせと、血管領域の特定とを実行する。更に、血管領域抽出部４１Ａ（又は、データ処理部４０Ａの他の要素）は、特定された血管領域に、その旨を示す情報を割り当てることができる。
【００４５】
他の例において、３次元データセット２１が、時系列に並んだ複数のＢスキャン画像をＢ断面ごとに含む３次元データセットであって、Ｂスキャン画像の位置合わせが施された３次元データセットである場合、血管領域抽出部４１Ａ（又は、データ処理部４０Ａの他の要素）は、前述の要領で、血管領域の特定を実行する。更に、血管領域抽出部４１Ａ（又は、データ処理部４０Ａの他の要素）は、特定された血管領域に、その旨を示す情報を割り当てることができる。
【００４６】
更に他の例において、３次元データセット２１は、時系列に並んだ複数のＢスキャン画像をＢ断面ごとに含む３次元データセットであって、Ｂスキャン画像の位置合わせと血管領域の特定とが施された３次元データセットであってよい。更に、血管領域抽出部４１Ａ（又は、データ処理部４０Ａの他の要素）は、特定された血管領域に、その旨を示す情報を割り当てることができる。
【００４７】
血管領域を示す情報が３次元データセット２１に既に付与されている場合、血管領域抽出部４１Ａは、この情報を参照することで、３次元データセット２１内の血管領域を特定し、３次元データセット２１から血管領域を抽出することができる。
【００４８】
これに対し、血管領域を示す情報が３次元データセット２１に付与されていない場合、血管領域抽出部４１Ａは、３次元データセット２１内の血管領域を特定するための処理を実行する。血管領域の特定は、前述のように、複数のＢスキャン画像の間で変化している画像領域を探索する処理を含んでよい。或いは、血管領域の特定は、エッジ検出、リージョングローイング等の画像処理を含んでもよい。血管領域抽出部４１Ａは、特定された血管領域を３次元データセット２１から抽出する。
【００４９】
なお、「３次元データセットから血管領域を抽出する」処理は、例えば、血管領域を３次元データセットから抜き出す処理、又は、血管領域以外の画像領域を３次元データセットから削除する処理であってよい。３次元データセットから抽出された血管領域を含む画像フレームにおいては、血管領域以外の領域の画素値が既定値（例えば、輝度値＝０、Ｒ値＝Ｇ値＝Ｂ値＝０など）に設定される。この既定値は、血管領域の背景に相当する画素値である。
【００５０】
（層領域特定部４２Ａ）
層領域特定部４２Ａは、被検眼の３次元データセットにセグメンテーションを適用して複数の層領域を特定する。セグメンテーションは、一般に、画像データを複数の領域に分割する処理であり、本例では、被検眼の特定の組織（組織境界）に相当する画像領域を特定するものである。
【００５１】
典型的な例において、３次元データセットは、眼底の３次元ＯＣＴスキャンによって取得され、眼底の層構造を表現している。このような３次元データセットには、網膜、脈絡膜、強膜、硝子体などが描出されている。より詳細には、３次元データセットには、内境界膜、神経線維層、神経節細胞層、内網状層、内顆粒層、外網状層、外顆粒層、外境界膜、網膜色素上皮、ブルッフ膜、脈絡膜、脈絡膜強膜境界、強膜、硝子体などが描出されている。
【００５２】
層領域特定部４２Ａは、このような３次元データセットにおける複数の層領域を特定する。特定される層領域の種別は、予め設定される。或いは、ユーザが所望の層領域を設定できるように構成してもよい。また、特定される層領域の種別を層領域特定部４２Ａが自動で設定するように構成してもよい。
【００５３】
（共通領域特定部４３Ａ）
共通領域特定部４３Ａは、層領域特定部４２Ａにより特定された複数の層領域のそれぞれについて、この層領域と血管領域抽出部４１Ａにより抽出された血管領域との共通領域を特定する。
【００５４】
典型的には、血管領域抽出部４１Ａにより処理される３次元データセットと、層領域特定部４２Ａにより処理される３次元データセットとは、実質的に同じである。つまり、これら３次元データセットは、少なくとも、元のデータは同じである。よって、層領域と血管領域との間の位置合わせを行う必要は無い。
【００５５】
血管領域抽出部４１Ａにより処理される３次元データセットと、層領域特定部４２Ａにより処理される３次元データセットとが、実質的に異なる場合、これらの間の位置合わせ（画像マッチング）を実行することができる。
【００５６】
共通領域特定部４３Ａは、例えば、層領域に含まれる画素の３次元座標値と、血管領域に含まれる画素の位置３次元座標値とを比較することにより、３次元座標値が共通である層領域の画素と血管領域の画素との組を特定する。
【００５７】
それにより、層領域特定部４２Ａにより特定された複数の層領域のそれぞれについて、この層領域に含まれる血管領域が特定される。換言すると、血管領域抽出部４１Ａにより抽出された血管領域（血管の３次元的分布）が、層領域特定部４２Ａにより特定された複数の層領域に対応する複数の部分領域に分割される。
【００５８】
（正面画像形成部４４Ａ）
正面画像形成部４４Ａは、共通領域特定部４３Ａにより特定された複数の共通領域のそれぞれに基づいて正面画像を形成する。この共通領域は、例えば、血管領域抽出部４１Ａにより抽出された血管領域（つまり、この血管領域を含む画像フレーム）であってよい。この画像フレームは、典型的には、眼底の特定層（１以上の層組織）に相当する３次元画像領域である。正面画像形成部４４Ａは、この３次元画像領域を所定方向（例えばＺ方向）に投影してシャドウグラムを形成する。
【００５９】
それにより、層領域特定部４２Ａにより特定された複数の層領域に対応する複数の正面画像が得られる。典型的には、眼底における異なる複数の深さ範囲に対応する複数の正面画像が得られる。各正面画像には、血管領域抽出部４１Ａにより抽出された血管領域の一部（対応する共通領域）のみが描出されている。
【００６０】
（カラーコーディング部４５Ａ）
カラーコーディング部４５Ａは、正面画像形成部４４Ａにより形成された複数の正面画像に対して、互いに異なる色情報を割り当てる。
【００６１】
例えば、Ｎ枚の正面画像Ｇｎ（ｎ＝１，２，・・・，Ｎ）が正面画像形成部４４Ａにより得られた場合、第１正面画像Ｇ１には第１色を、第２正面画像Ｇ２には第２色を、・・・、第Ｎ正面画像ＧＮには第Ｎ色が、それぞれ割り当てられる。ここで第１色、第２色、・・・、第Ｎ色は、それぞれ異なる色である。なお、第ｎ色は、単一の色でなくてよく、２以上の色調を含んでいてもよい。
【００６２】
また、第ｎ色の階調は任意である。例えば、一定の階調の第ｎ色を第ｎ正面画像Ｇｎに割り当てることができる。或いは、第ｎ正面画像Ｇｎの各画素（又は、それに含まれる血管領域の各画素）について、その画素値（輝度値）に応じた階調値の第ｎ色を割り当てることができる。ここで、画素値の階調数と第ｎ色の階調数とは、等しくてもよいし、異なってもよい。階調数が異なる場合、公知の階調変換を適用することができる。
【００６３】
（画像合成部４６Ａ）
画像合成部４６Ａは、カラーコーディング部４５Ａにより色情報が割り当てられた複数の正面画像のうちの少なくとも２つを合成する。それにより得られる正面画像を合成正面画像と呼ぶ。２以上の画像を合成する処理は公知である。
【００６４】
一般的な画像合成では、合成される２以上の画像の位置合わせが行われる。しかし、本例では、単一の３次元データセットから複数の正面画像が形成されるので、位置合わせを行う必要は無い。
【００６５】
合成正面画像は、単一の画像データであってよい。レイヤー表示機能等を利用して２以上の正面画像を重ねて表示する場合、この表示画像が合成正面画像であってよい。
【００６６】
典型的な例において、合成正面画像は、層領域に応じてカラーコーディングがなされた眼底血管の画像である。換言すると、合成正面画像は、眼底の深さ位置に応じて色が付された血管の画像である。
【００６７】
合成正面画像を形成する処理の例を図３に示す。本例では、画像合成部４６Ａは、Ｎ枚の正面画像Ｇｎ（ｎ＝１，２，・・・，Ｎ）のうちの任意の２枚の正面画像Ｇｎ１及びＧｎ２を合成する。なお、合成される正面画像の枚数は任意であり、また、合成される正面画像の選択も任意である。
【００６８】
説明のために、正面画像Ｇｎ１中の血管領域Ｖｎ１を点線で示し、且つ、正面画像Ｇｎ２中の血管領域Ｖｎ２を実線で示す。正面画像Ｇｎ１中の血管領域Ｖｎ１には第ｎ１色が割り当てられ、且つ、正面画像Ｇｎ２中の血管領域Ｖｎ２には第ｎ２色が割り当てられている。
【００６９】
画像合成部４６Ａは、正面画像Ｇｎ１及びＧｎ２を合成することにより合成正面画像Ｇｎ１＋ｎ２を形成する。合成正面画像Ｇｎ１＋ｎ２には、第ｎ１色で表現された血管領域Ｖｎ１と、第ｎ２色で表現された血管領域Ｖｎ２とが描出されている。
【００７０】
表示制御部１１は、合成正面画像Ｇｎ１＋ｎ２を表示デバイス２に表示させることができる。なお、画像合成部４６Ａが合成正面画像Ｇｎ１＋ｎ２を形成する代わりに、次のような表示制御を行うことができる。すなわち、表示制御部１１は、表示デバイス２に第１レイヤーと第２レイヤーとを設定し、第１レイヤーに正面画像Ｇｎ１を表示させ、且つ、第２レイヤーに正面画像Ｇｎ２を表示させることができる。このようにして表示される画像も合成正面画像Ｇｎ１＋ｎ２に相当する。
【００７１】
表示制御部１１は、合成正面画像Ｇｎ１＋ｎ２とともに、各種情報を表示させることができる。合成正面画像Ｇｎ１＋ｎ２とともに表示される付帯情報は、例えば、血管領域Ｖｎ１及びＶｎ２の位置（深さ位置、深さ範囲）を示す情報を含む。
【００７２】
このような位置情報の例としてカラーバーがある。カラーバーは、合成正面画像Ｇｎ１＋ｎ２に描出されている血管領域Ｖｎ１の深さ位置及び血管領域Ｖｎ２の深さ位置を、色情報（少なくとも第ｎ１色及び第ｎ２色を含む）として表現した情報である。
【００７３】
カラーバーの２つの例を図４Ａ及び図４Ｂに示す。図４Ａに示す例においては、表示制御部１１は、合成正面画像Ｇｎ１＋ｎ２と、カラーバーＨ１とを、表示デバイス２の表示画面２ａに表示させる。カラーバーＨ１は、表示色と眼底の部位との関係を示している。ここで、Ｃ／Ｓは脈絡膜〜強膜を示し、ＢＭはブルッフ膜を示し、ＲＰＥは網膜色素上皮層を示し、ＩＳ／ＯＳは視細胞内節外節接合部を示し、ＩＰＬ／ＩＮＬは内網状層〜内顆粒層を示し、ＮＦＬ／ＧＣＬは神経線維層〜神経節細胞層を示し、ＩＬＭは内境界膜を示す。これら部位は、例えば、前述のセグメンテーションによって特定される。
【００７４】
図４Ｂに示す例においては、表示制御部１１は、合成正面画像Ｇｎ１＋ｎ２と、カラーバーＨ２とを、表示デバイス２の表示画面２ａに表示させる。カラーバーＨ２は、表示色と深さ位置（深さ範囲）との関係を示している。ここで、深さ位置は、例えば、眼底表面（網膜表面、内境界膜）を基準として設定される。また、深さ位置（眼底表面からの距離）は、例えば、公知の層厚解析によって求められる。
【００７５】
第１実施形態において、記憶部２０は記憶部に相当し、血管領域抽出部４１Ａは第１血管領域抽出部に相当し、層領域特定部４２Ａは第１層領域特定部に相当し、共通領域特定部４３Ａは第１共通領域特定部に相当し、正面画像形成部４４Ａは第１正面画像形成部に相当し、カラーコーディング部４５Ａは第１カラーコーディング部に相当し、画像合成部４６Ａは第１画像合成部に相当する。また、表示デバイス２は表示手段に相当し、表示制御部１１は表示制御部に相当する。
【００７６】
〈第２実施形態〉
第２実施形態に係る眼科装置について説明する。第２実施形態に係る眼科装置は、第１実施形態と同様に、制御部１０と、記憶部２０と、データ入出力部３０と、データ処理部４０と、操作部５０とを含む（図１を参照）。第２実施形態と第１実施形態との相違は、データ処理部４０の構成である。第２実施形態におけるデータ処理部４０の例を図５に示す。
【００７７】
図５に示すデータ処理部４０Ｂは、層領域特定部４２Ｂと、血管領域抽出部４１Ｂと、正面画像形成部４４Ｂと、カラーコーディング部４５Ｂと、画像合成部４６Ｂとを含んでいる。第１実施形態と同様に、被検眼にＯＣＴを適用して取得された３次元データセット２１が記憶部２０に記憶されている。
【００７８】
層領域特定部４２Ｂは、３次元データセット２１にセグメンテーションを適用して複数の層領域を特定する。この処理は、例えば、第１実施形態の層領域特定部４２Ａと同じ要領で実行される。
【００７９】
血管領域抽出部４１Ｂは、層領域特定部４２Ｂにより特定された複数の層領域のそれぞれから血管領域を抽出する。この処理は、例えば、第１実施形態の血管領域抽出部４１Ａと同じ要領で実行される。
【００８０】
正面画像形成部４４Ｂは、血管領域抽出部４１Ｂにより抽出された複数の血管領域のそれぞれに基づいて正面画像を形成する。この処理は、例えば、第１実施形態の正面画像形成部４４Ａと同じ要領で実行される。
【００８１】
カラーコーディング部４５Ｂは、正面画像形成部４４Ｂにより形成された複数の正面画像に対して互いに異なる色情報を割り当てる。この処理は、例えば、第１実施形態のカラーコーディング部４５Ａと同じ要領で実行される。
【００８２】
画像合成部４６Ｂは、カラーコーディング部４５Ｂにより色情報が割り当てられた複数の正面画像の少なくとも２つを合成して合成正面画像を形成する。この処理は、例えば、第１実施形態の画像合成部４６Ａと同じ要領で実行される。
【００８３】
このように構成された第２実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【００８４】
第２実施形態において、記憶部２０は記憶部に相当し、層領域特定部４２Ｂは第２層領域特定部に相当し、血管領域抽出部４１Ｂは第２血管領域抽出部に相当し、正面画像形成部４４Ｂは第２正面画像形成部に相当し、カラーコーディング部４５Ｂは第２カラーコーディング部に相当し、画像合成部４６Ｂは第２画像合成部に相当する。また、表示デバイス２は表示手段に相当し、表示制御部１１は表示制御部に相当する。
【００８５】
〈第３実施形態〉
第３実施形態に係る眼科装置について説明する。第３実施形態に係る眼科装置は、第１実施形態と同様に、制御部１０と、記憶部２０と、データ入出力部３０と、データ処理部４０と、操作部５０とを含む（図１を参照）。第３実施形態と第１実施形態との相違は、データ処理部４０の構成である。第３実施形態におけるデータ処理部４０の例を図６に示す。
【００８６】
図６に示すデータ処理部４０Ｃは、カラーコーディング部４５Ｃと、血管領域抽出部４１Ｃと、層領域特定部４２Ｃと、共通領域特定部４３Ｃと、正面画像形成部４４Ｃと、画像合成部４６Ｃとを含んでいる。第１実施形態と同様に、被検眼にＯＣＴを適用して取得された３次元データセット２１が記憶部２０に記憶されている。
【００８７】
カラーコーディング部４５Ｃは、３次元データセット２１に対して、深さ位置に応じた色情報を割り当てる。
【００８８】
例えば、カラーコーディング部４５Ｃは、３次元データセット２１が定義されている深さ方向の範囲（つまり、Ｚ方向における３次元データセット２１の定義域）を複数の区間に分割し、これら区間に対して互いに異なる色情報を割り当てるように構成される。
【００８９】
他の例において、カラーコーディング部４５Ｃは、Ｚ方向における３次元データセット２１の定義域に対し、実質的に連続的に変化する色情報（連続的なグラデーションが変化する色情報）を割り当てるように構成される。
【００９０】
３次元データセット２１に対して色情報を割り当てる方法は、これらに限定されない。一般に、Ｚ方向における位置や範囲を色覚的に識別可能とする方法であれば、その具体的処理内容は任意であってよい。
【００９１】
血管領域抽出部４１Ｃは、３次元データセット２１から血管領域を抽出する。この処理は、例えば、前述したいずれかの実施形態の血管領域抽出部と同じ要領で実行される。
【００９２】
層領域特定部４２Ｃは、３次元データセット２１にセグメンテーションを適用して複数の層領域を特定する。この処理は、例えば、前述したいずれかの実施形態の層領域特定部と同じ要領で実行される。
【００９３】
共通領域特定部４３Ｃは、層領域特定部４２Ｃにより特定された複数の層領域のそれぞれについて、その層領域と血管領域抽出部４１Ｃにより特定された血管領域との共通領域を特定する。この処理は、例えば、前述したいずれかの実施形態の共通領域特定部と同じ要領で実行される。
【００９４】
正面画像形成部４４Ｃは、共通領域特定部４３Ｃにより特定された複数の共通領域のそれぞれに基づいて正面画像を形成する。この処理は、例えば、前述したいずれかの実施形態の正面画像形成部と同じ要領で実行される。
【００９５】
画像合成部４６Ｃは、正面画像形成部４４Ｃにより形成された複数の正面画像の少なくとも２つを、カラーコーディング部４５Ｃにより３次元データセット２１に割り当てられた色情報に基づき合成することにより、合成正面画像を形成する。
【００９６】
例えば、画像合成部４６Ｃは、画像合成に供される２以上の正面画像のそれぞれについて、その正面画像に対応する色情報を特定する。その具体例として、画像合成部４６Ｃは、その正面画像に対応する層領域の深さ範囲（３次元データセット２１における深さ範囲）を特定し、この深さ範囲に割り当てられた色情報を特定するように構成される。ここで、特定された深さ範囲に割り当てられた色情報が複数ある場合、これらの色情報のうちのいずれかを代表色情報として選択することができる。
【００９７】
例えば、３次元データセット２１に対して段階的な色情報が割り当てられた場合において、特定された深さ範囲に２以上の色情報が割り当てられている場合、画像合成部４６Ｃは、最も深部側の色情報、最も浅部側の色情報、又は、中央に位置する色情報を選択することができる。或いは、画像合成部４６Ｃは、特定された深さ範囲において最も広範囲に割り当てられている色情報を選択することができる。
【００９８】
また、特定された深さ範囲に割り当てられている複数の色情報のうちの一部又は全部を利用することも可能である。
【００９９】
３次元データセット２１に対して連続的な色情報が割り当てられた場合、画像合成部４６Ｃは、特定された深さ範囲におけるいずれかの色情報を選択することができる。例えば、画像合成部４６Ｃは、最も深部側の色情報、最も浅部側の色情報、又は、中央に位置する色情報を選択することができる。また、連続的な色情報の一部又は全部を利用することも可能である。
【０１００】
画像合成部４６Ｃは、このような色情報に基づき２枚以上の正面画像を合成することによって合成正面画像を形成する。正面画像の合成は、例えば、前述したいずれかの実施形態の画像合成部と同じ要領で実行される。
【０１０１】
このように構成された第３実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１０２】
第３実施形態において、記憶部２０は記憶部に相当し、カラーコーディング部４５Ｃは第３カラーコーディング部に相当し、血管領域抽出部４１Ｃは第３血管領域抽出部に相当し、層領域特定部４２Ｃは第３層領域特定部に相当し、共通領域特定部４３Ｃは第３共通領域特定部に相当し、正面画像形成部４４Ｃは第３正面画像形成部に相当し、画像合成部４６Ｃは第３画像合成部に相当する。また、表示デバイス２は表示手段に相当し、表示制御部１１は表示制御部に相当する。
【０１０３】
〈第４実施形態〉
第４実施形態に係る眼科装置について説明する。第４実施形態に係る眼科装置は、第１実施形態と同様に、制御部１０と、記憶部２０と、データ入出力部３０と、データ処理部４０と、操作部５０とを含む（図１を参照）。第４実施形態と第１実施形態との相違は、データ処理部４０の構成である。第４実施形態におけるデータ処理部４０の例を図７に示す。
【０１０４】
図７に示すデータ処理部４０Ｄは、カラーコーディング部４５Ｄと、層領域特定部４２Ｄと、血管領域抽出部４１Ｄと、正面画像形成部４４Ｄと、画像合成部４６Ｄとを含んでいる。第１実施形態と同様に、被検眼にＯＣＴを適用して取得された３次元データセット２１が記憶部２０に記憶されている。
【０１０５】
カラーコーディング部４５Ｄは、３次元データセット２１に対して深さ位置に応じた色情報を割り当てる。この処理は、例えば、前述したいずれかの実施形態のカラーコーディング部と同じ要領で実行される。
【０１０６】
層領域特定部４２Ｄは、３次元データセット２１にセグメンテーションを適用して複数の層領域を特定する。この処理は、例えば、前述したいずれかの実施形態の層領域特定部と同じ要領で実行される。
【０１０７】
血管領域抽出部４１Ｄは、層領域特定部４２Ｄにより特定された複数の層領域のそれぞれから血管領域を抽出する。この処理は、例えば、前述したいずれかの実施形態の血管領域抽出部と同じ要領で実行される。
【０１０８】
正面画像形成部４４Ｄは、血管領域抽出部４１Ｄにより抽出された複数の血管領域のそれぞれに基づいて正面画像を形成する。この処理は、例えば、前述したいずれかの実施形態の正面画像形成部と同じ要領で実行される。
【０１０９】
画像合成部４６Ｄは、正面画像形成部４４Ｄにより形成された複数の正面画像の少なくとも２つを、カラーコーディング部４５Ｄにより３次元データセット２１に対して割り当てられた色情報に基づき合成することによって、合成正面画像を形成する。この処理は、例えば、前述したいずれかの実施形態の画像合成部と同じ要領で実行される。
【０１１０】
このように構成された第４実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１１１】
第４実施形態において、記憶部２０は記憶部に相当し、カラーコーディング部４５Ｄは第４カラーコーディング部に相当し、層領域特定部４２Ｄは第４層領域特定部に相当し、血管領域抽出部４１Ｄは第４血管領域抽出部に相当し、正面画像形成部４４Ｄは第４正面画像形成部に相当し、画像合成部４６Ｄは第４画像合成部に相当する。また、表示デバイス２は表示手段に相当し、表示制御部１１は表示制御部に相当する。
【０１１２】
〈第５実施形態〉
第５実施形態に係る眼科装置について説明する。第５実施形態に係る眼科装置は、第１実施形態と同様に、制御部１０と、記憶部２０と、データ入出力部３０と、データ処理部４０と、操作部５０とを含む（図１を参照）。第５実施形態と第１実施形態との相違は、データ処理部４０の構成である。第５実施形態におけるデータ処理部４０の例を図８に示す。
【０１１３】
図８に示すデータ処理部４０Ｅは、カラーコーディング部４５Ｅと、血管領域抽出部４１Ｅと、層領域特定部４２Ｅと、共通領域特定部４３Ｅと、正面画像形成部４４Ｅと、画像合成部４６Ｅとを含んでいる。第１実施形態と同様に、被検眼にＯＣＴを適用して取得された３次元データセット２１が記憶部２０に記憶されている。
【０１１４】
カラーコーディング部４５Ｅは、３次元データセット２１に対して、深さ位置に応じた色情報を割り当てる。この処理は、例えば、前述したいずれかの実施形態のカラーコーディング部と同じ要領で実行される。
【０１１５】
血管領域抽出部４１Ｅは、３次元データセット２１から血管領域を抽出する。この処理は、例えば、前述したいずれかの実施形態の血管領域抽出部と同じ要領で実行される。
【０１１６】
層領域特定部４２Ｅは、３次元データセット２１にセグメンテーションを適用して複数の層領域を特定する。この処理は、例えば、前述したいずれかの実施形態の層領域特定部と同じ要領で実行される。
【０１１７】
共通領域特定部４３Ｅは、層領域特定部４２Ｅにより特定された複数の層領域のそれぞれについて、その層領域と血管領域抽出部４１Ｃにより特定された血管領域との共通領域を特定する。この処理は、例えば、前述したいずれかの実施形態の共通領域特定部と同じ要領で実行される。
【０１１８】
正面画像形成部４４Ｅは、共通領域特定部４３Ｅにより特定された複数の共通領域のそれぞれと、カラーコーディング部４５Ｅにより３次元データセット２１に割り当てられた色情報とに基づいて、正面画像を形成する。
【０１１９】
例えば、正面画像形成部４４Ｅは、複数の層領域に対応する複数の共通領域のそれぞれについて、その共通領域に対応する色情報を特定する。その具体例として、正面画像形成部４４Ｅは、その共通領域に対応する層領域の深さ範囲（３次元データセット２１における深さ範囲）を特定し、この深さ範囲に割り当てられた色情報を特定するように構成される。ここで、特定された深さ範囲に割り当てられた色情報が複数ある場合、これらの色情報のうちのいずれかを代表色情報として選択することができる。また、正面画像形成部４４Ｅは、特定された深さ範囲に割り当てられている複数の色情報のうちの一部又は全部を利用するように構成されてもよい。
【０１２０】
正面画像形成部４４Ｅは、このような色情報と共通領域とに基づいて正面画像を形成することができる。例えば、正面画像形成部４４Ｅは、色情報を共通領域に付与し、色情報が付与された共通領域から正面画像を形成することができる。或いは、正面画像形成部４４Ｅは、共通領域から正面画像を形成し、形成された正面画像に色情報を付与することができる。ここで、共通領域から正面画像を形成する処理は、例えば、前述したいずれかの実施形態の正面画像形成部と同じ要領で実行される。
【０１２１】
画像合成部４６Ｅは、正面画像形成部４４Ｅにより形成された複数の正面画像の少なくとも２つを合成して合成正面画像を形成する。この処理は、例えば、前述したいずれかの実施形態の画像合成部と同じ要領で実行される。
【０１２２】
このように構成された第５実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１２３】
第５実施形態において、記憶部２０は記憶部に相当し、カラーコーディング部４５Ｅは第５カラーコーディング部に相当し、血管領域抽出部４１Ｅは第５血管領域抽出部に相当し、層領域特定部４２Ｅは第５層領域特定部に相当し、共通領域特定部４３Ｅは第５共通領域特定部に相当し、正面画像形成部４４Ｅは第５正面画像形成部に相当し、画像合成部４６Ｅは第５画像合成部に相当する。また、表示デバイス２は表示手段に相当し、表示制御部１１は表示制御部に相当する。
【０１２４】
〈第６実施形態〉
第６実施形態に係る眼科装置について説明する。第６実施形態に係る眼科装置は、第１実施形態と同様に、制御部１０と、記憶部２０と、データ入出力部３０と、データ処理部４０と、操作部５０とを含む（図１を参照）。第６実施形態と第１実施形態との相違は、データ処理部４０の構成である。第６実施形態におけるデータ処理部４０の例を図９に示す。
【０１２５】
図９に示すデータ処理部４０Ｆは、カラーコーディング部４５Ｆと、層領域特定部４２Ｆと、血管領域抽出部４１Ｆと、正面画像形成部４４Ｆと、画像合成部４６Ｆとを含んでいる。第１実施形態と同様に、被検眼にＯＣＴを適用して取得された３次元データセット２１が記憶部２０に記憶されている。
【０１２６】
カラーコーディング部４５Ｆは、３次元データセット２１に対して深さ位置に応じた色情報を割り当てる。この処理は、例えば、前述したいずれかの実施形態のカラーコーディング部と同じ要領で実行される。
【０１２７】
層領域特定部４２Ｆは、３次元データセット２１にセグメンテーションを適用して複数の層領域を特定する。この処理は、例えば、前述したいずれかの実施形態の層領域特定部と同じ要領で実行される。
【０１２８】
血管領域抽出部４１Ｆは、層領域特定部４２Ｆにより特定された複数の層領域のそれぞれから血管領域を抽出する。この処理は、例えば、前述したいずれかの実施形態の血管領域抽出部と同じ要領で実行される。
【０１２９】
正面画像形成部４４Ｆは、血管領域抽出部４１Ｆにより抽出された複数の血管領域のそれぞれと、カラーコーディング部４５Ｆにより３次元データセット２１に対して割り当てられた色情報とに基づいて、正面画像を形成する。この処理は、例えば、前述したいずれかの実施形態の正面画像形成部と同じ要領で実行される。
【０１３０】
画像合成部４６Ｆは、正面画像形成部４４Ｆにより形成された複数の正面画像の少なくとも２つを合成して合成正面画像を形成する。この処理は、例えば、前述したいずれかの実施形態の画像合成部と同じ要領で実行される。
【０１３１】
このように構成された第６実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１３２】
第６実施形態において、記憶部２０は記憶部に相当し、カラーコーディング部４５Ｆは第６カラーコーディング部に相当し、層領域特定部４２Ｆは第６層領域特定部に相当し、血管領域抽出部４１Ｆは第６血管領域抽出部に相当し、正面画像形成部４４Ｆは第６正面画像形成部に相当し、画像合成部４６Ｆは第６画像合成部に相当する。また、表示デバイス２は表示手段に相当し、表示制御部１１は表示制御部に相当する。
【０１３３】
〈第７実施形態〉
第７実施形態に係る眼科装置について説明する。第７実施形態に係る眼科装置は、第１実施形態と同様に、制御部１０と、記憶部２０と、データ入出力部３０と、データ処理部４０と、操作部５０とを含む（図１を参照）。第７実施形態と第１実施形態との相違は、データ処理部４０の構成である。第７実施形態におけるデータ処理部４０の例を図１０に示す。
【０１３４】
図１０に示すデータ処理部４０Ｇは、血管領域抽出部４１Ｇと、層領域特定部４２Ｇと、カラーコーディング部４５Ｇと、共通領域特定部４３Ｇと、正面画像形成部４４Ｇと、画像合成部４６Ｇとを含んでいる。第１実施形態と同様に、被検眼にＯＣＴを適用して取得された３次元データセット２１が記憶部２０に記憶されている。
【０１３５】
血管領域抽出部４１Ｇは、３次元データセット２１から血管領域を抽出する。この処理は、例えば、前述したいずれかの実施形態の血管領域抽出部と同じ要領で実行される。
【０１３６】
層領域特定部４２Ｇは、３次元データセット２１にセグメンテーションを適用して複数の層領域を特定する。この処理は、例えば、前述したいずれかの実施形態の層領域特定部と同じ要領で実行される。
【０１３７】
カラーコーディング部４５Ｇは、層領域特定部４２Ｇにより特定された複数の層領域に対して互いに異なる色情報を割り当てる。この処理は、例えば、前述したいずれかの実施形態のカラーコーディング部と同じ要領で実行される。
【０１３８】
共通領域特定部４３Ｇは、層領域特定部４２Ｇにより特定された複数の層領域のそれぞれについて、その層領域と血管領域抽出部４１Ｇにより特定された血管領域との共通領域を特定する。この処理は、例えば、前述したいずれかの実施形態の共通領域特定部と同じ要領で実行される。
【０１３９】
正面画像形成部４４Ｇは、共通領域特定部４３Ｇにより特定された複数の共通領域のそれぞれと、カラーコーディング部４５Ｇにより複数の層領域に割り当てられた色情報とに基づいて、正面画像を形成する。この処理は、例えば、前述したいずれかの実施形態の正面画像形成部と同じ要領で実行される。
【０１４０】
画像合成部４６Ｇは、正面画像形成部４４Ｇにより形成された複数の正面画像の少なくとも２つを合成して合成正面画像を形成する。この処理は、例えば、前述したいずれかの実施形態の画像合成部と同じ要領で実行される。
【０１４１】
このように構成された第７実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１４２】
第７実施形態において、記憶部２０は記憶部に相当し、血管領域抽出部４１Ｇは第７血管領域抽出部に相当し、層領域特定部４２Ｇは第７層領域特定部に相当し、カラーコーディング部４５Ｇは第７カラーコーディング部に相当し、共通領域特定部４３Ｇは第７共通領域特定部に相当し、正面画像形成部４４Ｇは第７正面画像形成部に相当し、画像合成部４６Ｇは第７画像合成部に相当する。また、表示デバイス２は表示手段に相当し、表示制御部１１は表示制御部に相当する。
【０１４３】
〈第８実施形態〉
第８実施形態に係る眼科装置について説明する。第８実施形態に係る眼科装置は、第１実施形態と同様に、制御部１０と、記憶部２０と、データ入出力部３０と、データ処理部４０と、操作部５０とを含む（図１を参照）。第８実施形態と第１実施形態との相違は、データ処理部４０の構成である。第８実施形態におけるデータ処理部４０の例を図１１に示す。
【０１４４】
図１１に示すデータ処理部４０Ｈは、層領域特定部４２Ｈと、カラーコーディング部４５Ｈと、血管領域抽出部４１Ｈと、正面画像形成部４４Ｈと、画像合成部４６Ｈとを含んでいる。第１実施形態と同様に、被検眼にＯＣＴを適用して取得された３次元データセット２１が記憶部２０に記憶されている。
【０１４５】
層領域特定部４２Ｈは、３次元データセット２１にセグメンテーションを適用して複数の層領域を特定する。この処理は、例えば、前述したいずれかの実施形態の層領域特定部と同じ要領で実行される。
【０１４６】
カラーコーディング部４５Ｈは、層領域特定部４２Ｈにより特定された複数の層領域に対して互いに異なる色情報を割り当てる。この処理は、例えば、前述したいずれかの実施形態のカラーコーディング部と同じ要領で実行される。
【０１４７】
血管領域抽出部４１Ｈは、層領域特定部４２Ｈにより特定された複数の層領域のそれぞれから血管領域を抽出する。この処理は、例えば、前述したいずれかの実施形態の血管領域抽出部と同じ要領で実行される。
【０１４８】
正面画像形成部４４Ｈは、血管領域抽出部４１Ｈにより抽出された複数の血管領域のそれぞれと、カラーコーディング部４５Ｈにより複数の層領域に対して割り当てられた色情報とに基づいて、正面画像を形成する。この処理は、例えば、前述したいずれかの実施形態の正面画像形成部と同じ要領で実行される。
【０１４９】
画像合成部４６Ｈは、正面画像形成部４４Ｈにより形成された複数の正面画像の少なくとも２つを合成して合成正面画像を形成する。この処理は、例えば、前述したいずれかの実施形態の画像合成部と同じ要領で実行される。
【０１５０】
このように構成された第８実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１５１】
第８実施形態において、記憶部２０は記憶部に相当し、層領域特定部４２Ｈは第８層領域特定部に相当し、カラーコーディング部４５Ｈは第８カラーコーディング部に相当し、血管領域抽出部４１Ｈは第８血管領域抽出部に相当し、正面画像形成部４４Ｈは第８正面画像形成部に相当し、画像合成部４６Ｈは第８画像合成部に相当する。また、表示デバイス２は表示手段に相当し、表示制御部１１は表示制御部に相当する。
【０１５２】
〈第９実施形態〉
第９実施形態に係る眼科装置について説明する。第９実施形態に係る眼科装置は、第１実施形態と同様に、制御部１０と、記憶部２０と、データ入出力部３０と、データ処理部４０と、操作部５０とを含む（図１を参照）。第９実施形態と第１実施形態との相違は、データ処理部４０の構成である。第９実施形態におけるデータ処理部４０の例を図１２に示す。
【０１５３】
図１２に示すデータ処理部４０Ｊは、層領域特定部４２Ｊと、正面画像形成部４４Ｊと、血管領域抽出部４１Ｊと、カラーコーディング部４５Ｊと、画像合成部４６Ｊとを含んでいる。第１実施形態と同様に、被検眼にＯＣＴを適用して取得された３次元データセット２１が記憶部２０に記憶されている。
【０１５４】
層領域特定部４２Ｊは、３次元データセット２１にセグメンテーションを適用して複数の層領域を特定する。この処理は、例えば、前述したいずれかの実施形態の層領域特定部と同じ要領で実行される。
【０１５５】
正面画像形成部４４Ｊは、層領域特定部４２Ｊにより特定された複数の層領域のそれぞれに基づいて正面画像を形成する。この処理は、例えば、前述したいずれかの実施形態の正面画像形成部と同じ要領で実行される。
【０１５６】
血管領域抽出部４１Ｊは、正面画像形成部４４Ｊにより形成された複数の正面画像のそれぞれから血管領域を抽出する。この処理は、例えば、前述したいずれかの実施形態の血管領域抽出部と同じ要領で実行される。なお、前述した実施形態では、３次元画像データから血管領域を抽出しているが、第９実施形態では２次元画像データ（正面画像）から血管領域を抽出する。３次元画像データからの画像領域抽出と２次元画像データからの画像領域抽出との間に本質的な相違はない。
【０１５７】
カラーコーディング部４５Ｊは、血管領域抽出部４１Ｊにより抽出された複数の血管領域に対して互いに異なる色情報を割り当てる。この処理は、例えば、前述したいずれかの実施形態のカラーコーディング部と同じ要領で実行される。
【０１５８】
画像合成部４６Ｊは、カラーコーディング部４５Ｊにより色情報が割り当てられた複数の血管領域の少なくとも２つを合成して合成正面画像を形成する。この処理は、例えば、前述したいずれかの実施形態の画像合成部と同じ要領で実行される。
【０１５９】
このように構成された第９実施形態の眼科装置によれば、図３に例示された合成正面画像Ｇｎ１＋ｎ２のような任意の合成正面画像を形成することができる。更に、図４Ａ及び図４Ｂに例示するように、任意の合成正面画像と任意の付帯情報とを表示することが可能である。
【０１６０】
第９実施形態において、記憶部２０は記憶部に相当し、層領域特定部４２Ｊは第９層領域特定部に相当し、正面画像形成部４４Ｊは第９正面画像形成部に相当し、血管領域抽出部４１Ｊは第９血管領域抽出部に相当し、カラーコーディング部４５Ｊは第９カラーコーディング部に相当し、画像合成部４６Ｊは第９画像合成部に相当する。また、表示デバイス２は表示手段に相当し、表示制御部１１は表示制御部に相当する。
【０１６１】
〈第１０実施形態〉
第１０実施形態に係る眼科装置について説明する。第１０実施形態に係る眼科装置は、第１実施形態と同様に、制御部１０と、記憶部２０と、データ入出力部３０と、データ処理部４０と、操作部５０とを含む（図１を参照）。第１０実施形態と第１実施形態との相違は、データ処理部４０の構成である。第１０実施形態におけるデータ処理部４０の例を図１３に示す。
【０１６２】
図１３に示すデータ処理部４０Ｋは、第１実施形態と同様に、血管領域抽出部４１Ａと、層領域特定部４２Ａと、共通領域特定部４３Ａと、正面画像形成部４４Ａと、カラーコーディング部４５Ａと、画像合成部４６Ａとを含む。これらに加え、データ処理部４０Ｋは、注目血管領域設定部４７を含んでいる。つまり、データ処理部４０Ｋは、第１実施形態のデータ処理部４０Ａに注目血管領域設定部４７を付加したものである。
【０１６３】
なお、データ処理部４０Ｂ〜４０Ｊのいずれかに注目血管領域設定部４７を付加することもできる。また、データ処理部４０Ａ〜４０Ｊ以外の実施形態に注目血管領域設定部４７を付加することも可能である。
【０１６４】
第１０実施形態の記憶部２０には、第１実施形態と同様に、被検眼にＯＣＴを適用して取得された３次元データセット２１が記憶されている。
【０１６５】
第１０実施形態において、ユーザは、合成正面画像として表示される深さ範囲を任意に変更することができる。すなわち、ユーザは、３次元データセット２１の深さレンジ（深さ方向の定義域）のうちから所望の深さ範囲を指定することができる。第１０実施形態の眼科装置は、ユーザにより指定された深さ範囲に対応する合成正面画像を形成することができる。
【０１６６】
深さ範囲の指定は操作部５０を用いて行われる。深さ範囲を指定することは、実質的に、正面画像形成部４４Ａにより形成された複数の正面画像のうちから２以上の正面画像を選択することに相当する。
【０１６７】
深さ範囲を指定する方法の例を説明する。第１の例において、表示制御部１１は、正面画像形成部４４Ａにより形成された複数の正面画像を並列的に又は順次的に表示デバイス２に表示させる。ユーザは、操作部５０を用いて所望の２以上の正面画像を指定することができる。データ処理部４０Ｋは、ユーザが指定した２以上の正面画像から合成正面画像を形成することができる。
【０１６８】
第２の例において、表示制御部１１は、被検眼の部位や組織を示す情報を表示デバイス２に表示させる。例えば、表示制御部１１は、眼底の層組織の名称のリストを表示デバイス２に表示させる。ユーザは、表示されたリストから、所望の２以上の名称を指定することができる。データ処理部４０Ｋは、例えばセグメンテーションの結果に基づいて、ユーザが指定した２以上の名称に対応する２以上の正面画像を特定し、特定された２以上の正面画像から合成正面画像を形成することができる。
【０１６９】
注目血管領域設定部４７は、血管領域抽出部４１Ａにより抽出された血管領域のうちの注目血管領域を設定する。注目血管領域とは、観察や解析において注目される血管に相当する画像領域である。注目血管領域は、手動又は自動で設定される。
【０１７０】
表示制御部１１は、３次元データセット２１のレンダリング像を表示デバイス２に表示させる。ユーザは、レンダリング像に描出された血管領域のうちから、注目血管領域を指定することができる。そのための操作は、例えば、ポインティングデバイスによるクリック操作、ドラッグ操作などであってよい。
【０１７１】
一般に、血管は分岐している。ユーザがある血管領域を注目血管領域として指定すると、注目血管領域設定部４７は、例えば、ユーザが指定した位置をシードとしてリージョングローイングを適用する。それにより、指定された位置を含む血管領域の全体（分岐血管も含む）が特定される。注目血管領域設定部４７は、このようにして特定された血管全体のうちの一部又は全部を注目血管領域に設定することができる。他の例において、ユーザは、注目血管領域の範囲を指定することができる。
【０１７２】
表示制御部１１は、複数の正面画像のうちから選択された２以上の正面画像に基づき形成された合成正面画像と、当該２以上の正面画像と異なる正面画像に描出された注目血管領域との合成画像を、表示デバイス２に表示させることができる。これを実現するための処理の例を以下に説明する。
【０１７３】
画像合成部４６Ａは、前述したいずれかの実施形態と同じ要領で、複数の正面画像のうちから選択された２以上の正面画像に基づいて合成正面画像を形成する。
【０１７４】
更に、画像合成部４６Ａは、注目血管領域設定部４７から注目血管領域の設定結果を受け、合成正面画像の形成に用いられた２以上の正面画像と異なる正面画像のうちから、注目血管領域設定部４７により設定された注目血管領域が描出されている正面画像を選択する。この処理では、例えば、注目血管領域に含まれる画素の３次元座標値と、正面画像に対応する層領域に含まれる画素の３次元座標値とが参照される。
【０１７５】
これにより、合成正面画像の形成に用いられた２以上の正面画像と異なる正面画像のうちから、１以上の正面画像（注目正面画像と呼ぶ）が選択される。画像合成部４６Ａは、選択された正面画像のうち、注目血管領域以外の血管領域の画素値を既定値（例えば、輝度値＝０、Ｒ値＝Ｇ値＝Ｂ値＝０など）に変更する。この既定値は、正面画像（画像フレーム）の背景に相当する画素値である。これにより、注目血管領域のみが描出された注目正面画像が得られる。
【０１７６】
画像合成部４６Ａは、注目血管領域のみが描出された注目正面画像と、２以上の正面画像に基づく合成正面画像とを合成する。表示制御部１１は、注目正面画像と合成正面画像との合成画像を表示デバイス２に表示させる。
【０１７７】
なお、注目血管領域のみが描出された注目正面画像と、２以上の正面画像に基づく合成正面画像とを合成する処理を行わなくてもよい。この場合、例えば、表示制御部１１は、表示レイヤー機能を用いて、注目血管領域のみが描出された注目正面画像と、２以上の正面画像に基づく合成正面画像とを、重ねて表示させることができる。或いは、表示制御部１１は、表示レイヤー機能を用いて、注目正面画像と上記２以上の正面画像とを重ねて表示させることができる。
【０１７８】
このような第１０実施形態によれば、合成正面画像として表示される深さ範囲を任意に変更することができる。また、注目する血管については、合成正面画像の深さ範囲以外の部分も観察することができる。
【０１７９】
〈第１１実施形態〉
第１１実施形態に係る眼科装置について説明する。第１１実施形態に係る眼科装置は、被検眼にＯＣＴを適用して３次元データセットを取得する機能を備える。つまり、第１〜第１０実施形態に係る眼科装置は、コンピュータ（プロセッサ等のハードウェア、及びソフトウェア）を少なくとも含んでいるが、第１実施形態に係る眼科装置は、コンピュータとＯＣＴスキャナとを少なくとも含むＯＣＴ装置である。
【０１８０】
第１１実施形態に係る眼科装置の例を図１４に示す。図１４に示す眼科装置１００は、第１実施形態と同様に、制御部１０と、記憶部２０と、データ入出力部３０と、データ処理部４０と、操作部５０とを含む（図１を参照）。これらに加え、眼科装置１００は、データセット取得部６０を含む。なお、データ処理部４０は、前述したデータ処理部４０Ａ〜４０Ｋのいずれかであってよく、或いは、これら以外の構成を備えていてもよい。
【０１８１】
データセット取得部６０は、ＯＣＴを実行するための光学系や駆動系や制御系やデータ処理系を含む。データセット取得部６０は、例えばフーリエドメインＯＣＴを実行可能に構成される。フーリエドメインＯＣＴには、スペクトラルドメインＯＣＴと、スウェプトソースＯＣＴとがある。
【０１８２】
スペクトラルドメインＯＣＴは、広帯域の低コヒーレンス光源と分光器とを用いて、干渉光のスペクトルを空間分割で取得し、それをフーリエ変換することによってデータセットを取得する手法である。
【０１８３】
スウェプトソースＯＣＴは、波長掃引光源（波長可変光源）と光検出器（バランスドフォトダイオード等）とを用いて、干渉光のスペクトルを時分割で取得し、それをフーリエ変換することによってデータセットを取得する手法である。
【０１８４】
眼科装置１００は、ＯＣＴ以外のモダリティを含んでいてもよい。そのようなモダリティとして、眼底カメラ、ＳＬＯ（Ｓｃａｎｎｉｎｇ  Ｌａｓｅｒ  Ｏｐｈｔｈａｌｍｏｓｃｏｐｅ）、スリットランプ顕微鏡、眼科手術用顕微鏡などがある。また、眼科装置１００は、眼科治療に用いられる装置を含んでいてもよい。眼科治療装置としては、光凝固治療等に使用されるレーザ治療装置などがある。
【０１８５】
データセット取得部６０は、被検眼に対してＯＣＴを実行することにより３次元データセットを取得する。データセット取得部６０は、スペクトラルドメインＯＣＴ又はスウェプトソースＯＣＴを利用した計測を実行するための構成（光学系、駆動系、制御系等）と、ＯＣＴにより収集されたデータに基づいて３次元データセットを形成するための構成とを含む。画像データ形成処理は、例えば従来のＯＣＴ技術と同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理を含む。
【０１８６】
データセット取得部６０は、被検眼の３次元領域をスキャンする。そのときのスキャンモードは、例えばラスタースキャン（３次元スキャン）である。このラスタースキャンは、例えば、複数のＢ断面のそれぞれを所定回数ずつスキャンするように、つまり、複数のＢ断面を所定回数ずつ順次にスキャンするように実行される。データセット取得部６０は、ラスタースキャンにより収集されたデータに基づいて、各Ｂ断面について複数の断面像（Ｂスキャン画像）を形成する。これら断面像を単一の３次元座標系に埋め込むことによりスタックデータが形成される。このスタックデータにおいては、各Ｂ断面に所定枚数の断面像が割り当てられている。また、このスタックデータに対して補間処理等を施すことによりボリュームデータ（ボクセルデータ）が形成される。このボリュームデータについても、各Ｂ断面に相当する位置に所定数のボクセル群が割り当てられている。スタックデータやボリュームデータは、３次元データセットの例である。
【０１８７】
データセット取得部６０により取得された３次元データセットは、制御部１０によって記憶部２０に格納される（図１４に示す３次元データセット２１Ａ）。眼科装置１００は、例えば、前述した第１〜第１０実施形態にて説明された処理を３次元データセット２１Ａに適用する。
【０１８８】
〈効果〉
第１〜第１１実施形態に係る眼科装置によれば、血管強調画像に描出された各種組織の画像領域うちから血管領域を抽出し、抽出された血管領域の合成画像（合成正面画像）にカラーコーディングを施すことができる。したがって、血管以外の組織も描出されていた従来の技術と比較して、眼の血管の３次元的分布を明瞭に把握することが可能である。
【０１８９】
以上に説明した構成は、この発明を好適に実施するための一例に過ぎない。よって、この発明の要旨の範囲内における任意の変形（省略、置換、付加等）を適宜に施すことが可能である。
【符号の説明】
【０１９０】
１  眼科装置
２  表示デバイス
１０  制御部
１１  表示制御部
２０  記憶部
３０  データ入出力部
４０  データ処理部
４１Ａ  血管領域抽出部
４２Ａ  層領域特定部
４３Ａ  共通領域特定部
４４Ａ  正面画像形成部
４５Ａ  カラーコーディング部
４６Ａ  画像合成部
５０  操作部
６０  データセット取得部
【図１】
2018183424.tif 000003
【図２】
2018183424.tif 000004
【図３】
2018183424.tif 000005
【図４Ａ】
2018183424.tif 000006
【図４Ｂ】
2018183424.tif 000007
【図５】
2018183424.tif 000008
【図６】
2018183424.tif 000009
【図７】
2018183424.tif 000010
【図８】
2018183424.tif 000011
【図９】
2018183424.tif 000012
【図１０】
2018183424.tif 000013
【図１１】
2018183424.tif 000014
【図１２】
2018183424.tif 000015
【図１３】
2018183424.tif 000016
【図１４】
2018183424.tif 000017